(57)【要約】【課題】  燃料誤投入、誤販売がガソリンスタンドで多く発生している。【解決手段】  データベース５００が、車両に貼付されて各車両を特定するＩＤである照合用ＩＤと、前回給油した燃料の油種を特定するＩＤである油種ＩＤとを対応付けて記憶する。照合部２０が、データベース５００が記憶している照合用ＩＤおよび油種ＩＤの対応と、ＲＦＩＤ読み出し部１０が読み出した照合用ＩＤおよび今回給油に用いる給油ノズルの油種ＩＤの対応とが合致しないと判断すると、警報部５０が、音声等の警報を発生する。【選択図】  図１
2005153947.tif 000002
【特許請求の範囲】
【請求項１】
車両に設置され、車両を特定する情報である照合用情報を記憶する照合用情報記憶手段と、
給油機の各給油ノズルが吐出する燃料の種類を特定する情報である燃料種類情報を記憶する給油ノズル燃料種類情報記憶手段と、
前記照合用情報と過去に給油した燃料の燃料種類情報とを対応付けて記憶するデータベースと、
給油する燃料の燃料種類情報を特定する制御手段と、
照合用情報記憶手段が記憶している照合用情報を読み出す照合用情報読み出し手段と、
前記データベースが記憶している前記照合用情報および過去に給油した燃料の燃料種類情報の対応と、前記照合用情報読み出し手段が読み出した照合用情報および給油する燃料の燃料種類情報の対応とが合致するか否かを判断する照合手段と、
前記照合手段が、前記データベースが記憶している前記照合用情報および過去に給油した燃料の燃料種類情報の対応と、前記照合用情報読み出し手段が読み出した照合用情報および給油する燃料の燃料種類情報との対応とが合致しないと判断すると、警報を発する警報手段と
を備えたことを特徴とする燃料誤投入防止システム。
【請求項２】
照合手段と接続され、通信ネットワークを介して、データベースが記憶している情報を読み込む動作と、情報をデータベースに記憶させる動作とを行うデータベース問い合せ手段を備えた
請求項１記載の燃料誤投入防止システム。
【請求項３】
照合用情報記憶手段は、ＲＦＩＤタグによって実現され、
照合用情報読み出し手段は、前記ＲＦＩＤタグが記憶している照合用情報を読み出す
請求項１または請求項２記載の燃料誤投入防止システム。
【請求項４】
制御手段は、各給油ノズルから燃料を吐出させるか否かを制御し、照合手段が、データベースが記憶している燃料種類情報と、給油する燃料の燃料種類情報とが所定の対応による組み合わせであると判断すると、給油ノズルから燃料を吐出させない
請求項１から請求項３のうちいずれか１項記載の燃料誤投入防止システム。
【請求項５】
車両に設置され、車両を特定する情報である照合用情報を記憶する照合用情報記憶手段と、
給油機の各給油ノズルが吐出する燃料の種類を特定する情報である燃料種類情報を記憶する給油ノズル燃料種類情報記憶手段とを備えた燃料誤投入防止システムに搭載される燃料誤投入防止プログラムであって、
コンピュータに、
記憶手段に、照合用情報と過去に給油した燃料の燃料種類情報とを対応付けて記憶させる記憶処理と、
給油する燃料の燃料種類情報を特定する制御処理と、
燃料を給油する車両に設置された照合用情報記憶手段が記憶している照合用情報を読み出す照合用情報読み出し処理と、
前記記憶手段が記憶している前記照合用情報および過去に給油した燃料の燃料種類情報の対応と、前記照合用情報読み出し処理が読み出した照合用情報および給油する燃料の燃料種類情報の対応とが合致するか否かを判断する照合処理と、
前記照合処理が、前記記憶手段が記憶している前記照合用情報および過去に給油した燃料の燃料種類情報の対応と、前記照合用読み出し処理が読み出した照合用情報および給油する燃料の燃料種類情報の対応とが合致しないと判断すると、スピーカ、電灯および振動子のうち一つまたは複数を組み合わせて駆動させる警報処理と
を実行させることを特徴とする燃料誤投入防止プログラム。
【請求項６】
車両を特定する情報である照合用情報を記憶する照合用情報記憶手段を車両に設置し、
給油する燃料の種類を特定する情報である燃料種類情報を特定し、
照合用情報と過去に給油した燃料の燃料種類情報とを対応付けてデータベースに記憶させ、
給油する燃料の燃料種類情報を特定し、
燃料を給油する車両に設置された照合用情報記憶手段が記憶している照合用情報を読み出し、
データベースが記憶している前記照合用情報および過去に給油した燃料の燃料種類情報の対応と、照合用情報記憶手段から読み出した照合用情報および給油する燃料の燃料種類情報の対応とが合致するか否かを判断し、データベースが記憶している前記照合用情報および過去に給油した燃料の燃料種類情報の対応と、前記照合用情報記憶手段から読み出した照合用情報および給油する燃料の燃料種類情報の対応とが合致しないと判断すると、警報を発する
ことを特徴とする燃料誤投入防止方法。
【請求項７】
通信ネットワークを介して、データベースが記憶している情報を読み込ませたり、情報をデータベースに記憶させたりする
請求項６記載の燃料誤投入防止方法。
【発明の詳細な説明】
【技術分野】
【０００１】
本発明は、ガソリンスタンドにおける燃料販売の燃料誤投入防止システム、燃料誤投入防止プログラムおよび燃料誤投入防止方法に関し、特に、燃料の種類が前回給油した油種と異なっている場合に警報を発する燃料誤投入防止システム、燃料誤投入防止プログラムおよび燃料誤投入防止方法に関する。
【背景技術】
【０００２】
ガソリンスタンドで販売される燃料の種別は、レギュラーガソリン、ハイオクガソリン、軽油、灯油等多岐にわたり、燃料の種別の誤販売および自動車等の燃料タンクへの誤投入による事故、火災、回収等のトラブルが従来から現在に至るまで度々発生している。
【０００３】
従来、顧客車両の給油口に「無鉛」、「ハイオク」、「軽油」等の油種を表記したシールを貼り、ガソリンスタンドの販売員が燃料の誤販売および誤投入（以下、単に誤投入と記す。）を防ぐという方法が一般的に広く実施されてきた。しかし、この方法が採用されてから数十年が経過しているが、誤投入のトラブルは未だに発生している。
【０００４】
また、最近は日本においても、顧客が自ら給油するセルフサービスのガソリンスタンドが増加したため、多種類の油種の燃料の正確な給油について誤投入防止の意識の高い専門職であるガソリンスタンドの販売員ではなく、一般顧客が自ら給油ノズルと油種とを選択して給油する機会が増加している。このような、一般顧客による給油機会の増加は誤投入トラブルの増加につながる。
【０００５】
特に、法人において使用油種の異なる大量の車両を有し、各従業員が各車両を使い回して適宜給油する場合等には、車種と油種との組み合わせに対する従業員の先入観等から、誤った燃料の給油を行う可能性がある。
【０００６】
石油元売り会社のタンクから各ガソリンスタンドのタンクに燃料を輸送する場合、タンクローリを使用するが、各タンクに入れるべき燃料を正しく充填するために、タンクの入り口と燃料の投入パイプとをＩＣタグで対応させる装置が提案されている（例えば、特許文献１参照）。これにより、石油元売り会社のタンクからタンクローリへの積み替え、およびタンクローリからガソリンスタンドの地下タンクへの積み替えという２回の燃料積み替え時の燃料混合トラブルを減らすことができる。
【０００７】
また、誤った油種の燃料の給油を防止するために、車両の給油口付近に給油すべき油種を特定するＩＤを書き込んだＩＤタグを取付け、ＩＤリーダ検出部を具備した給油ノズルが車両に取り付けられているＩＤタグのＩＤを読み込み、車両に取り付けられているＩＤタグが記憶しているＩＤと、給油しようとしている給油ノズルの油種のＩＤとが合致していれば給油を開始し、合致していないときは警告を発するシステムが提案されている（例えば、特許文献２参照）。
【０００８】
【特許文献１】特開平１０−１８１７９９号公報（第３−６頁、第１図）
【特許文献２】特開平１１−２０８７９２号公報（第３−５頁、第１図）
【発明の開示】
【発明が解決しようとする課題】
【０００９】
しかし、特許文献１に記載されている装置は、石油元売り会社のタンクからガソリンスタンドのタンクまでの燃料輸送時の燃料混合トラブルを軽減することはできるが、ガソリンスタンドでの顧客向け燃料販売時に発生する誤投入に対する対策については、何ら記載されていない。
【００１０】
また、特許文献２に記載されているシステムは、固定的に特定同一のＩＤの油種の燃料を継続的に給油することは可能である。しかし、例えば、通常レギュラーガソリンを給油している顧客が、高速道路での長距離移動前にはハイオクガソリンを給油する等、顧客は燃料を日常的に選択して給油しているため、燃料の種類の選択をする度に警告が発せられ、更に給油が停止するなど、円滑な燃料販売を阻害するものとなる。今後、ガソリンスタンドや石油元売り会社は、単一製品の価格競争で利幅が薄くなることを避けるために、様々なオクタン価のガソリンや、エンジン洗浄剤入りのガソリン等、付加価値の付いたガソリンを単価に差を付けて併売することを進めており、それらの種類の燃料のどれを給油しても自動車にトラブルは発生しないが、ガソリンスタンドの販売員やセルフスタンドを利用する顧客自身が燃料の種類の確認と納得とをして給油しなければならない。
【００１１】
更に、ガソリンスタンドは様々な系列ごとに併存しているため、一のガソリンスタンドの燃料の種類のＩＤ体系と、他のガソリンスタンドの燃料の種類のＩＤ体系とが同一であることの確証が無く、特許文献２に記載されているシステムは、自動車のような高速遠距離移動体が日本全国の任意のガソリンスタンドで利用できるシステムというより、自宅の最寄りの行きつけのガソリンスタンドでのみ効果を享受できるというシステムである。
【００１２】
そこで、本発明は、給油する給油ノズルの燃料の油種が、前回給油した燃料の種類と異なると、警報を発し、燃料の誤投入を防止する燃料誤投入防止システム、燃料誤投入防止プログラムおよび燃料誤投入防止方法を提供することを目的とする。
【課題を解決するための手段】
【００１３】
本発明による燃料誤投入防止システムは、車両に設置され、車両を特定する情報である照合用情報を記憶する照合用情報記憶手段と、給油機の各給油ノズルが吐出する燃料の種類を特定する情報である燃料種類情報を記憶する給油ノズル燃料種類情報記憶手段と、照合用情報と過去に給油した燃料の燃料種類情報とを対応付けて記憶するデータベースと、給油する燃料の燃料種類情報を特定する制御手段と、照合用情報記憶手段が記憶している照合用情報を読み出す照合用情報読み出し手段と、データベースが記憶している照合用情報および過去に給油した燃料の燃料種類情報の対応と、照合用情報読み出し手段が読み出した照合用情報および給油する燃料の燃料種類情報の対応とが合致するか否かを判断する照合手段と、照合手段が、データベースが記憶している照合用情報および過去に給油した燃料の燃料種類情報の対応と、照合用情報読み出し手段が読み出した照合用情報および給油する燃料の燃料種類情報との対応とが合致しないと判断すると、警報を発する警報手段とを備えたことを特徴とする。
【００１４】
照合手段と接続され、通信ネットワークを介して、データベースが記憶している情報を読み込む動作と、情報をデータベースに記憶させる動作とを行うデータベース問い合せ手段を備えてもよい。そのような構成によれば、通信ネットワークに接続され、本発明による燃料誤投入防止システムを導入している全国のガソリンスタンドで、各車両に適用することが可能である。
【００１５】
照合用情報記憶手段は、ＲＦＩＤタグによって実現されてもよく、照合用情報読み出し手段は、ＲＦＩＤタグが記憶している照合用情報を読み出してもよい。そのような構成によれば、照合用情報記憶手段に接触することなく照合用ＩＤを読み出すことができる。
【００１６】
制御手段は、各給油ノズルから燃料を吐出させるか否かを制御してもよく、照合手段が、データベースが記憶している燃料種類情報と、給油する燃料の燃料種類情報とが所定の対応による組み合わせであると判断すると、給油ノズルから燃料を吐出させなくてもよい。そのような構成によれば、ガソリンスタンドの販売員等の誤認識等による、軽油とレギュラーガソリンとの混合や、軽油とハイオクガソリンとの混合等の誤投入を防ぐことができる。
【００１７】
本発明による燃料誤投入防止プログラムは、車両に設置され、車両を特定する情報である照合用情報を記憶する照合用情報記憶手段と、給油機の各給油ノズルが吐出する燃料の種類を特定する情報である燃料種類情報を記憶する給油ノズル燃料種類情報記憶手段とを備えた燃料誤投入防止システムに搭載される燃料誤投入防止プログラムであって、コンピュータに、記憶手段に、照合用情報と過去に給油した燃料の燃料種類情報とを対応付けて記憶させる記憶処理と、給油する燃料の燃料種類情報を特定する制御処理と、燃料を給油する車両に設置された照合用情報記憶手段が記憶している照合用情報を読み出す照合用情報読み出し処理と、記憶手段が記憶している照合用情報および過去に給油した燃料の燃料種類情報の対応と、照合用情報読み出し処理が読み出した照合用情報および給油する燃料の燃料種類情報の対応とが合致するか否かを判断する照合処理と、照合処理が、記憶手段が記憶している照合用情報および過去に給油した燃料の燃料種類情報の対応と、照合用読み出し処理が読み出した照合用情報および給油する燃料の燃料種類情報の対応とが合致しないと判断すると、スピーカ、電灯および振動子のうち一つまたは複数を組み合わせて駆動させる警報処理とを実行させることを特徴とする。
【００１８】
本発明による燃料誤投入防止方法は、車両を特定する情報である照合用情報を記憶する照合用情報記憶手段を車両に設置し、給油する燃料の種類を特定する情報である燃料種類情報を特定し、照合用情報と過去に給油した燃料の燃料種類情報とを対応付けてデータベースに記憶させ、給油する燃料の燃料種類情報を特定し、燃料を給油する車両に設置された照合用情報記憶手段が記憶している照合用情報を読み出し、データベースが記憶している照合用情報および過去に給油した燃料の燃料種類情報の対応と、照合用情報記憶手段から読み出した照合用情報および給油する燃料の燃料種類情報の対応とが合致するか否かを判断し、データベースが記憶している照合用情報および過去に給油した燃料の燃料種類情報の対応と、照合用情報記憶手段から読み出した照合用情報および給油する燃料の燃料種類情報の対応とが合致しないと判断すると、警報を発することを特徴とする。
【００１９】
通信ネットワークを介して、データベースが記憶している情報の読み込ませたり、情報をデータベースに記憶させたりしてもよい。そのような構成によれば、通信ネットワークに接続され、本発明による燃料誤投入防止方法を導入している全国のガソリンスタンドで、各車両に適用することが可能である。
【発明の効果】
【００２０】
顧客が購入を希望する燃料の種類が、前回給油した燃料の種類と異なると、給油ノズルから警報を発するため、ガソリンスタンドの販売員による給油、およびセルフスタンドにおける顧客自身による給油のいずれの場合においても、燃料の誤投入、誤販売を防ぐことができる。また、車両に照合用情報記憶手段を設置して、照合用情報記憶手段に対応した誤投入、誤販売というトラブルが発生しないガソリンスタンドが持つ信頼感は、新たな顧客をも呼び込み、セルフスタンドにおいても顧客の安心感を醸成し、再来店を繰り返すリピータ顧客を増加させることができる。
【発明を実施するための最良の形態】
【００２１】
本発明の実施の形態について、図面を参照して説明する。図１は、本発明による燃料誤投入防止システムの実施の形態を説明するための説明図である。図２は、図１に示されている給油機の内部構成を通信ネットワークおよびデータベースとともに示すブロック図である。
【００２２】
図１に示すシステムは、車両に貼付されて各車両を特定するＩＤである照合用ＩＤ（照合用情報）を記憶するＲＦＩＤ（Ｒａｄｉｏ  Ｆｒｅｑｕｅｎｃｙ  ＩＤｅｎｔｉｆｉｃａｔｉｏｎ）タグである照合用ＲＦＩＤタグ（照合用情報記憶手段）１００と、照合用ＲＦＩＤタグ１００が記憶している照合用ＩＤを読み出すＲＦＩＤ読み出し部（照合用情報読み出し手段）１０と、後述する所定の場合に音声等の警報を発生する警報部（警報手段）５０と、車両等の給油口２００と、吐出する燃料の油種に応じた数の給油ノズル３０１〜３０ｎと、照合用ＩＤと前回給油した燃料の、油種を特定するＩＤである油種ＩＤ（燃料種類情報）とを対応付けて記憶するデータベース（記憶手段）５００と、燃料を各給油ノズルから吐出させる給油機６００と、データベース５００と給油機６００とを接続する通信ネットワーク４００とを含む。
【００２３】
図２は、給油機６００の内部構成を通信ネットワーク４００およびデータベース５００とともに示したブロック図である。給油機６００の内部構成は、ＲＦＩＤ読み出し部１０と、各給油ノズルから吐出する燃料の油種ＩＤを記憶する給油ノズル油種ＩＤ記憶部（給油ノズル燃料種類情報記憶手段）３０と、データベース５００が記憶している照合用ＩＤと油種ＩＤとの対応を読み出したり、データベース５００に照合用ＩＤと油種ＩＤとを対応付けて記憶させたりするデータベース問い合せ部（データベース問い合せ手段）４０と、データベース５００が記憶している照合用ＩＤおよび油種ＩＤの対応と、ＲＦＩＤ読み出し部１０が読み出した照合用ＩＤおよび今回給油に用いる給油ノズルの燃料の油種ＩＤの対応とが合致するか否かを判断する照合部（照合手段）２０と、照合部２０が、データベース５００が記憶している照合用ＩＤおよび油種ＩＤの対応と、ＲＦＩＤ読み出し部１０が読み出した照合用ＩＤおよび今回給油に用いる給油ノズルの燃料の油種ＩＤの対応とが合致しないと判断した場合に音声等の警報を発生する警報部５０と、ガソリンスタンドの販売員等の操作に応じて、給油機全体を制御する制御部（制御手段）６０とを含む。
【００２４】
各ガソリンスタンドの照合用ＲＦＩＤタグ１００の製作担当者は照合用ＩＤを照合用ＲＦＩＤタグ１００に記憶させ、両面テープや、接着剤等を用いて各車両等の給油口２００付近に貼付し、設置される。照合用ＲＦＩＤタグ１００の製作会社が予め照合用ＩＤを記憶させて各ガソリンスタンドに納入してもよい。また、照合用ＲＦＩＤタグ１００は、車両に設置するものであれば、車両に貼付されるものに限定されない。「車両に設置する」とは、車両の表面に付けられたり、車両に吊り下げられたり車両に内蔵されたりする場合など、車両に設置していることが明らかな状態をいう。照合用ＲＦＩＤタグ１００が記憶する照合用ＩＤは、各車両を特定できればよく、各車両に付されているナンバープレートのナンバーや、照合用ＲＦＩＤタグ１００を製作したガソリンスタンドを特定するＩＤと、そのガソリンスタンドが車両を管理する際に特定するＩＤとの組み合わせ等であってもよい。
【００２５】
ＲＦＩＤ読み出し部１０は、給油する車両等に設置されている照合用ＲＦＩＤタグ１００が記憶している照合用ＩＤを読み込むことができる位置であって、ガソリンスタンドで給油中の他の車両等の照合用ＲＦＩＤタグ１００が記憶している照合用ＩＤを読み込むことができない位置に設置される。警報部５０は、ガソリンスタンドの販売員に迅速に警報を報知するため、ガソリンスタンドの販売員が給油操作する引き金付近に設置される。具体的には、例えば、ＲＦＩＤ読み出し部１０と警報部５０とは、各給油ノズルにおいてガソリンスタンドの販売員が操作する引き金と、車両等の給油口２００に挿入するパイプ部との間に設置される。警報部５０は、音声、警告音、光、振動等の警報を発生させるスピーカ、電灯、振動子等を備える。通信ネットワーク４００は、例えば、インターネットやイントラネットによって実現される。そして、データベース５００は、通信ネットワーク４００に接続された各ガソリンスタンドによって共有されていてもよい。具体的には、通信ネットワーク４００に接続された各ガソリンスタンドのデータベース問い合せ部４０は、データベース５００への照合用ＩＤと油種ＩＤとの書き込みと読み込みとが可能であってよい。
【００２６】
制御部６０は、ガソリンスタンドの販売員が給油ノズルを給油機６００の所定の位置から移動させると、その給油ノズルを用いて燃料を給油すると判断し、給油ノズル油種ＩＤ記憶部３０が記憶している各給油ノズルの油種ＩＤにもとづいて、給油する燃料の油種ＩＤを特定する。また、制御部６０は、各給油ノズルに設置されているＲＦＩＤ読み出し部１０が照合用ＩＤを読み出すと、照合用ＩＤを読み出した給油ノズルを用いて燃料を給油すると判断し、給油ノズル油種ＩＤ記憶部３０が記憶している各給油ノズルの油種ＩＤにもとづいて、給油する燃料の油種ＩＤを特定してもよい。
【００２７】
照合部２０と給油ノズル油種ＩＤ記憶部３０とデータベース問い合せ部４０とは、各給油ノズルの任意の位置や、例えば、給油機６００内、ガソリンスタンドの店舗内等に設置される。
【００２８】
本発明による燃料誤投入防止プログラムは、車両に設置され、車両を特定する情報である照合用情報を記憶する照合用情報記憶手段と、給油機の各給油ノズルが吐出する燃料の種類を特定する情報である燃料種類情報を記憶する給油ノズル燃料種類情報記憶手段とを備えた燃料誤投入防止システムの給油機６００に搭載される燃料誤投入防止プログラムであって、コンピュータに、記憶手段に、照合用情報と過去に給油した燃料の燃料種類情報とを対応付けて記憶させる記憶処理と、給油する燃料の燃料種類情報を特定する制御処理と、燃料を給油する車両に設置された照合用情報記憶手段が記憶している照合用情報を読み出す照合用情報読み出し処理と、記憶手段が記憶している照合用情報および過去に給油した燃料の燃料種類情報の対応と、照合用情報読み出し処理が読み出した照合用情報および給油する燃料の燃料種類情報の対応とが合致するか否かを判断する照合処理と、照合処理が、記憶手段が記憶している照合用情報および過去に給油した燃料の燃料種類情報の対応と、照合用読み出し処理が読み出した照合用情報および給油する燃料の燃料種類情報の対応とが合致しないと判断すると、スピーカ、電灯および振動子のうち一つまたは複数を組み合わせて駆動させる警報処理とを実行させることを特徴とする。
【００２９】
次に、本発明の実施の形態の動作について図面を参照して説明する。図３は、本発明の実施の形態の動作を説明するフローチャートである。
【００３０】
燃料を購入したい顧客が、車両をガソリンスタンドに持参する。ガソリンスタンドの販売員は、顧客の注文に応じた油種の燃料を吐出する給油ノズルを特定する（例えば、給油ノズル３０１）。ガソリンスタンドの販売員は、顧客の車両の給油口２００を開けて、給油ノズル３０１を給油口２００に近づける。すると、給油ノズル３０１に設置されたＲＦＩＤ読み出し部１０が、照合用ＲＦＩＤタグ１００が記憶している照合用ＩＤを読み出す（ステップＳ１０１）。ＲＦＩＤ読み出し部１０は、読み出した照合用ＩＤを照合部２０に出力する。照合部２０は、照合用ＩＤをデータベース問い合せ部４０に出力する。
【００３１】
ここで、車両に照合用ＲＦＩＤタグ１００が設置されていない場合、予め照合用ＩＤを記憶している照合用ＲＦＩＤタグ１００、または、照合用ＲＦＩＤタグ１００の製作担当者が照合用ＩＤを照合用ＲＦＩＤタグ１００に記憶させ、ガソリンスタンドの販売員が照合用ＩＤを記憶している照合用ＲＦＩＤタグ１００を車両に設置する。
【００３２】
データベース問い合せ部４０は、通信ネットワーク４００を介してデータベース５００が、照合用ＩＤと対応する油種ＩＤとを記憶しているか否かを問い合せる（ステップＳ１０２）。
【００３３】
データベース問い合せ部４０は、問い合せた照合用ＩＤをデータベース５００が記憶していない場合には、その照合用ＩＤによる給油は初めてであると判断し、その照合用ＩＤと、給油ノズル油種ＩＤ記憶部３０が記憶している給油ノズル３０１の油種ＩＤとを対応付けてデータベース５００に記憶させる（ステップＳ１０３、Ｓ１０４）。
【００３４】
データベース問い合せ部４０は、問い合せた照合用ＩＤをデータベース５００が記憶している場合には、その照合用ＩＤに対応付けられた油種ＩＤをデータベース５００が記憶しているか否かを判断する（ステップＳ１０３、Ｓ１０５）。
【００３５】
データベース５００が、その照合用ＩＤに対応付けられた油種ＩＤを記憶していない場合、照合用ＩＤのみをデータベース５００に記憶させた場合であるため、その照合用ＩＤと、給油ノズル油種ＩＤ記憶部３０が記憶している給油ノズル３０１の油種ＩＤとを対応付けてデータベース５００に記憶させる（ステップＳ１０６）。
【００３６】
データベース問い合せ部４０は、その照合用ＩＤに対応付けられた油種ＩＤをデータベース５００が記憶していた場合、油種ＩＤを読み込んで照合部２０に出力する。照合部２０は、データベース５００が記憶していた油種ＩＤと、給油ノズル油種ＩＤ記憶部３０が記憶している給油ノズル３０１の燃料の油種ＩＤとが合致するか否かを判定する（ステップＳ１０７）。
【００３７】
データベース５００が記憶していた油種ＩＤと、給油ノズル油種ＩＤ記憶部３０が記憶している給油ノズル３０１の燃料の油種ＩＤとが合致しない場合、給油ノズル３０１の警告部５０は、ガソリンスタンドの販売員に、前回給油時の油種と同一ではないことを示す警報を発する。具体的には、音声、警告音、光、振動等の表現およびこれらの表現の組み合わせによって、迅速に販売員に警報する（ステップＳ１０８）。
【００３８】
警報を受けた販売員は、前回の給油時と同一の油種ではないが、給油を実施するか否かを、顧客指示や、車両の車種の適合性にもとづいて判断する（ステップＳ１０９）。給油ノズル３０１の油種の燃料の給油を取り止める場合は、別の給油ノズル３０２や給油ノズル３０ｎのうちのひとつの給油ノズルを選択する（ステップＳ１１１）。
【００３９】
ステップＳ１０９において、顧客指示等にもとづいて、販売員が給油を実施すると判断した場合であっても、例えば、具体的には、前回給油時の燃料の油種ＩＤがレギュラーガソリンまたはハイオクガソリンであった場合であって、給油ノズル３０１の油種ＩＤがハイオクガソリンまたはレギュラーガソリンであった場合は、給油しても自動車にトラブルは発生しないので、給油を行ってもよい。しかし、データベース５００が記憶している油種ＩＤと、給油ノズル油種ＩＤ記憶部３０が記憶している給油ノズル３０１の油種ＩＤとが所定の対応による組み合わせの場合、例えば、具体的には、データベース５００が記憶している油種ＩＤがレギュラーガソリンまたはハイオクガソリンであって、給油ノズル油種ＩＤ記憶部３０が記憶している給油ノズル３０１の油種ＩＤが軽油である場合や、データベース５００が記憶している油種ＩＤが軽油であって、給油ノズル油種ＩＤ記憶部３０が記憶している給油ノズル３０１の油種ＩＤがレギュラーガソリンまたはハイオクガソリンである場合は、照合部２０は、給油機６００の制御部６０に給油を実施させない。具体的には、給油機６００の制御部６０は、給油ノズル３０１から燃料を吐出させない。ガソリンスタンドの販売員は、給油ノズル３０１の油種の燃料の給油を取り止め、別の給油ノズル３０２や給油ノズル３０ｎのうちのひとつの給油ノズルを選択する（ステップＳ１１２）。
【００４０】
ステップＳ１０４、ステップＳ１０６およびステップＳ１０７で前回給油油種ＩＤと給油ノズル油種ＩＤ記憶部３０が記憶している油種ＩＤとが合致する場合や、ステップＳ１１２で顧客の指示等により販売員が給油実施を判断した場合、給油し、データベース問い合せ部４０は、実際に選択した給油ノズルから吐出する燃料の油種ＩＤを給油実績として、照合用ＲＦＩＤタグ１００が記憶している照合用ＩＤと対応付けて、通信ネットワーク４００を介してデータベース５００に記憶させる（ステップＳ１１０）。
【００４１】
なお、この実施の形態では、ガソリンスタンドの販売員が給油ノズル３０１を操作していたが、セルフスタンドにおいて、燃料を購入する顧客が自ら給油ノズル３０１を操作して給油してもよい。
【００４２】
以上述べたように、この実施の形態によれば、前回給油した燃料と違う油種の燃料を給油しようとすると警報を発するため、燃料の誤投入を防ぐことができる。また、インターネット等の通信ネットワーク４００を介して他のガソリンスタンドとデータベースを共有することができるため、日本全国で、同様の効果を享受することができる。
【産業上の利用可能性】
【００４３】
車両等への燃料の誤投入を防ぐガソリンスタンド等に適用することができる。
【図面の簡単な説明】
【００４４】
【図１】本発明の実施の形態を説明する説明図である。
【図２】本発明の実施の形態の一構成例を示すブロック図である。
【図３】本発明の実施の形態の動作を説明するフローチャートである。
【符号の説明】
【００４５】
１０  ＲＦＩＤ読み出し部
２０  照合部
３０  給油ノズル油種ＩＤ記憶部
４０  データベース問い合せ部
５０  警報部
６０  制御部
１００  照合用ＲＦＩＤタグ
２００  給油口
３０１、３０２、３０ｎ  給油ノズル
４００  通信ネットワーク
５００  データベース
６００  給油機
【図１】
2005153947.tif 000003
【図２】
2005153947.tif 000004
【図３】
2005153947.tif 000005